(57)【要約】【課題】本発明は、酸素ボンベなどに貼付された積層ラベルの上層のラベルを一旦剥がすと、容易に貼付することができないようした積層ラベルを提供することを目的とする。【解決手段】剥離可能に仮着された上層ラベル２と下層ラベル３とからなる積層ラベル４であって、前記上層ラベル２に摘み片８を形成し、この上層ラベル２の形状に沿った端線を下層ラベルに印刷してあることを特徴とする。【選択図】　図１
2004125927.tif 000002
【特許請求の範囲】
【請求項１】
上層ラベルと下層ラベルとが仮着された積層ラベルであって、
前記上層ラベルに形成した摘み片と、この上層ラベルの形状に沿った端線を下層ラベルに印刷してあることを特徴とする積層ラベル。
【請求項２】
前記上層ラベルには、適宜箇所にスリットを形成したことを特徴とする請求項１記載の積層ラベル。
【請求項３】
前記スリットは、上層ラベルの少なくともコーナー部の端部に亘り形成したことを特徴とする請求項２記載の積層ラベル。
【発明の詳細な説明】
【０００１】
【発明の属する技術分野】
本発明は、酸素ボンベなどへの貼付に好適な積層ラベルに関する。
【０００２】
【従来の技術】
従来、病院などで使用される酸素ボンベに貼付されるラベルは、酸素ボンベの酸素が空になった状態で、酸素ボンベに酸素が空であることを示すラベルを貼付していた。
しかし、空になった酸素ボンベに上述のラベルを貼る時に、ラベルを管理している管理場所からラベルを取りに行き、酸素ボンベに貼るので手間がかかるという問題がある。
【０００３】
そこで、酸素ボンベに予め２枚の酸素ラベルを直接酸素ボンベに重ねて貼付して、酸素が空になったときに、上層のラベルを剥がすことにより、下層にラベルに印刷された「空」などの印刷が表出するので、上層のラベルを１枚剥がすだけで酸素ボンベの酸素が空であることが判るラベルがある（例えば、特許文献１参照）。
【０００４】
【特許文献１】
特開平９−２１８６４５号公報（図６、図７）
【０００５】
【発明が解決しようとする課題】
しかしながら、酸素が空になった酸素ボンベは、悪戯などにより一度剥がした上層のラベルを不正に貼られることがあり、酸素ボンベの酸素が空にもかかわらず、不正に貼られたラベルにより酸素があると思い込み酸素ボンベを使用して、患者を危険にするという問題がある。
【０００６】
本発明は、このような問題にかんがみ、酸素ボンベなどに貼付された積層ラベルの上層のラベルを一旦剥がすと、容易に貼付することができないようした積層ラベルを提供することを目的とする。
【０００７】
また、酸素ボンベなどに貼付された積層ラベルの上層のラベルを一旦剥がして、再度ラベルを貼付した場合でも、一旦、剥がしたことが容易に判別できるようにした積層ラベルを提供することを目的とする。
【０００８】
【課題を解決するための手段】
本発明は、剥離されたラベルを再貼付した場合でも、一旦剥離されたことが容易に判断するようにしたことに着目したもので、上層ラベルと下層ラベルとが仮着された積層ラベルであって、前記上層ラベルに形成した摘み片と、この上層ラベルの形状に沿った端線を下層ラベルに印刷してあることを特徴とする積層ラベルにある。
【０００９】
上記上層ラベルには、適宜箇所にスリットを形成したことを特徴とする。
【００１０】
上記スリットは、前記上層ラベルの少なくともコーナー部の端部に亘り形成したことを特徴とする。
【００１１】
【本発明の実施の形態】
次に本発明の実施の形態を図１乃至図２に基づき説明する。
図１は本発明の積層ラベルの平面図であり、図２は図１の■―■断面図である。
【００１２】
符号１は積層体であり、積層体は積層ラベル４と台紙５とから構成されるとともに、積層ラベル４は上層ラベル２と下層ラベル３とから構成される。
上層ラベル２は、略長方形の形状に形成されるとともに、耐水性を有するプラスチックフィルムまたは塩化ビニールなどから構成される基材６と、この基材６の一方の面に一旦剥離すると粘着力を失う擬似接着剤７を有し、他方の面には印刷面１１を有している。
また、上層ラベル２には擬似粘着剤７の一部分を覆うように摘み片８が仮着されている。この摘み片８は略長方形状の何れかの一方の短辺に設けられている。
尚、摘み片８は、略長形状の上層ラベル２の少なくとも一つのコーナー部に設けてもよい。また、印刷面１１には、「ＦＵＬＬ」と印刷してある。
【００１３】
下層ラベル３は、略楕円形状に形成されるとともに、上層ラベル２より大きい形状を有し、耐水性を有するプラスチックフィルムまたは塩化ビニールなどから構成される基材１２から構成されている。
下層ラベル３の一方の面に擬似接着剤７を仮着可能な剥離処理面を有し、他方の面には後述する酸素ボンベ１７に貼付可能な感圧性粘着剤１３が塗布されている。
また、下層ラベル３の基材１２と剥離処理面との間の基材面に予め上層ラベル２の形状と略同形状の端辺に沿って端線（外輪線）１６が印刷されている。
尚、外輪線１６は少なくとも一辺に形成すればよく、また上層ラベルの形状が円の場合には、少なくとも外輪の一部に外輪線を形成する。
【００１４】
このように構成した上層ラベル２と下層ラベル３は、上層ラベル２の擬似粘着剤７を塗布した面と下層ラベル３の剥離処理面を塗布した面と貼り合わせて重ねることにより積層ラベル４が構成される。上層ラベル２の重ねる位置は上述した外輪線に合わせて重ねるようにして製造される。
さらに、積層ラベル４に、グラシンまたは上質紙などからなる基材１５にシリコーンなどの剥離剤１４を塗布した台紙５の剥離剤１４を塗布した面に積層ラベル４の下層ラベル３の感圧性粘着剤１３を塗布した面を重ねて積層体１が構成される。
尚、感圧性接着剤１３は、後述する酸素ボンベ１７の本体に直接貼着できるようにしてある。
【００１５】
次に、図３および図４に基づいて説明する。
図３は、積層ラベルを酸素ボンベに貼付した使用例を示す説明図であり、図４は上層ラベルを剥離した状態の下層ラベルの平面図である。
積層体１は、台紙５から積層ラベル４を剥離させて酸素ボンベ１７の胴部に貼着する。この時には、上層ラベル２と下層ラベル３とが積層されて貼付されているので、上層ラベル２に印字されている「ＦＵＬＬ」の表示が現れている。
次に、酸素ボンベ１７の酸素がなくなった時、医療関係者は、上層ラベル２の摘み片８から捲って上層ラベル２を剥離すると、下層ラベル３が酸素ボンベ１７に貼着されているので、下層ラベル３に印刷した「ＥＭＰＴＹ」の表示が現れる。（図４参照）
この表示により、酸素ボンベ１７の酸素が空であることが認識できる。
【００１６】
上記の酸素が空の酸素ボンベ１７に上層ラベル２を不正に貼付しようとすると、擬似粘着剤７により貼付できないが、他の粘着剤などで貼付しようとすると下層ラベル３に上層ラベル２の略同一形状の外輪線１６が印字されているので、容易に外輪線１６に合わせて貼付することができず、外輪線１６からずれたりして上層ラベル２が貼付されることとなり、不正に上層ラベル２が貼付されたことが判断される。
【００１７】
次に図５および図６に基づいて第二の実施の形態について説明する。
第一の実施の形態と同一または均等の部分には、同一の符号を付して説明を省略する。
図５は、積層ラベルの平面図であり、図６は上層ラベルを剥離した状態の下層ラベルの平面図である。
【００１８】
積層ラベル２０には、上層ラベル２１と下層ラベル３とで構成される。
上層ラベル２１は、略長方形の形状に形成され、図示しないが第一の実施の形態で説明した耐水性を有するプラスチックフィルムまたは塩化ビニールなどから構成される基材と、擬似接着剤とを有している。
また、擬似接着剤を塗布した面とは反対の面には、印刷面を有し、この印刷面には、「ＦＵＬＬ」と印刷してある。さらに、上層ラベル２１には、この上層ラベル２１の短辺の二つのコーナー部に亘って摘み片８が設けてある。
上層ラベル２１には、複数の直線状スリット９・・９形成されている。この複数の直線状スリット９・・９は、略中心部域から摘み片８が形成された部分を避けるとともに、摘み片８の近傍の長辺の端辺までスリット９、９が形成されている。
また、他の二つのコーナー部においては、略中心部域から各コーナー部に亘ってスリット９，９が形成されている。スリット９・・９は、上層ラベル２１の基材と擬似接着剤（何れも図示せず）に至るまでスリットするように形成されており、上層ラベル２１を剥離する時にスリット９・・９から裂けるようにしてある。
【００１９】
下層ラベル３は、略楕円形状を形成されるとともに、上層ラベル２１より大きい形状を有し、図示しないが第一の実施の形態で説明した耐水性を有するプラスチックフィルムまたは塩化ビニールなどから構成される基材に、剥離剤と感圧性粘着剤とが塗布されている。
また、下層ラベル３には、予め上層ラベル２１と略同形状の外輪線２２と、「ＥＭＰＴＹ」の文字が印刷されている。
このように構成した上層ラベル２１と下層ラベル３とは、上層ラベル２１の擬似粘着剤を塗布した面と下層ラベル３の剥離剤を塗布した面と貼り合わせて重ねることにより積層ラベル２０が構成される。この時に、「ＥＭＰＴＹ」の文字が上層ラベル２１により隠れるようにしてある
【００２０】
このように構成した積層ラベル２０においては、図示しない酸素ボンベの酸素が空になると、上層ラベル２１に形成した摘み片８から捲り上層ラベル２１を剥離する。この時に、上層ラベル２１はスリット９・・９から避けるようにしてある。
上層ラベル２１を剥離後は、酸素ボンベに下層ラベル３が貼付されており、下層ラベル３に印刷した「ＥＭＰＴＹ」の文字により、酸素ボンベが空であることが判断される。
この酸素が空の酸素ボンベに上層ラベル２１を不正に貼付しようとすると、擬似粘着剤７により貼付できない。また、上層ラベル２１は剥離する時にスリット９・・９から裂けているので、容易に結合することができず、かつ、下層ラベル３に上層ラベル２１の略同一形状の外輪線２２が印刷されているので、容易に外輪線２２に合わせて貼付することができず、外輪線２２からずれたりして、不正に上層ラベル２１が貼付されたことが判断されるので、容易に不正を確認できる。
【００２１】
本発明は、上層ラベルに形成したスリットは、上層ラベルの略中心部からコーナー部に向けて形成した例で説明が、上層ラベルが裂けるようなスリットを形成すれば何れの位置に形成してもよい。
【００２２】
【発明の効果】
以上説明したように本発明は、酸素ボンベの酸素が空か充填済みかを積層ラベルにより容易に判断でき、かつ、酸素が空になった酸素ボンベに不正に上層ラベルを貼ることができないようにしたので酸素が空の酸素ボンベを不正に貼着されたラベルにより利用することがない。
【図面の簡単な説明】
【図１】本発明の第一の実施の形態の積層ラベルの平面図である。
【図２】同上、図１の■―■断面図である。
【図３】同上、積層ラベルを酸素ボンベに貼付した使用例を示す説明図である。
【図４】同上、上層ラベルを剥離した状態の下層ラベルの平面図である。
【図５】同上、他の実施の形態の積層ラベルの平面図であり。
【図６】同上、上層ラベルを剥離した状態の下層ラベルの平面図である。
【符号の説明】
１　　　積層体
２　　　上層ラベル
３　　　下層ラベル
４　　　積層ラベル
５　　　台紙
７　　　擬似接着剤
８　　　摘み片
９　　　直線状スリット
１３　　　感圧性粘着剤
１４　　　剥離剤
１６　　　外輪線（端線）
１７　　　酸素ボンベ
２０　　　積層ラベル（他の実施の形態）
２１　　　上層ラベル（他の実施の形態）
２２　　　外輪線（端線）
【図１】
2004125927.tif 000003
【図２】
2004125927.tif 000004
【図３】
2004125927.tif 000005
【図４】
2004125927.tif 000006
【図５】
2004125927.tif 000007
【図６】
2004125927.tif 000008